(57)【要約】  本発明は，端末の起動モードを切り換えるモード制御モジュールを有する端末の制御装置であって、前記端末の駆動を制御するメイン制御モジュールと、前記端末に配設され、端末の外部から加えられる外力により電圧を発生させるレシーバーセンサー及びレシーバーセンサーにおいて発生された電圧値を分析して、前記端末のモード切換えを行う信号として処理し、前記モード切換え信号を前記メイン制御モジュールに引き渡す信号処理部を備える。本発明の実施形態によれば、ユーザーが端末のウィンドウに外力を加える、すなわち、ノックをするなどの簡単な動作で、端末のモード切換えを簡単に行うことができる。また、外力により端末のモード切換えを行うセンサーとして、レシーバーセンサーを用いることにより、従来に比べてより正確且つ簡単に端末のモード切換えを行うことができ、ユーザーの意図とは無関係に外力が加えられたときにモード切換えが行われたり、ディスプレイモジュールがオン（ＯＮ）状態に維持されたりすることを防ぐことができて、端末の誤作動を低減することができ、しかも、ユーザーの個人情報を保護することができる。【選択図】  図２
2018502486.tif 000002
【特許請求の範囲】
【請求項１】
端末の起動モードを切り換えるモード制御モジュールを有する端末の制御装置であって、
前記端末の駆動を制御するメイン制御モジュールと、
前記端末に配設され、電気的な信号及び物理的な外力間の相互変換を行うレシーバーセンサーと、
前記レシーバーセンサーにおいて発生された電気的な信号を分析して、前記端末のモード切換えを行う信号として処理し、前記モード切換え信号を前記メイン制御モジュールに引き渡す信号処理部と、
を備える端末の制御装置。
【請求項２】
前記レシーバーセンサーは、加えられる外力の大きさに応じて発生される電圧値が異なり、外力の回数に見合う数だけ電圧が発生され、複数回の外力が加えられる時間間隔に見合う時間間隔おきに複数の電圧ピークが発生される請求項１に記載の端末の制御装置。
【請求項３】
前記モード切換え制御部は、前記レシーバーセンサーにおいて発生された電圧データを分析することにより、電圧ピークの値、電圧ピークの数及び複数の電圧ピーク間の発生時間間隔のうちの少なくともいずれか１つによりそれぞれ異なるモード切換えのための複数のモード切換え信号を発生させる請求項２に記載の端末の制御装置。
【請求項４】
前記信号処理部は、
前記外力が加えられる時間に応じて前記レシーバーセンサーにおいて発生された電圧値を収集し、収集された前記電圧値を格納するデータ収集部と、
前記データ収集部に格納されたレシーバーセンサーの電圧値と基準値とを比較して、端末のモード切換えのために、ユーザーの意図により加えられた外力であるか否かを判断するモード切換え判断部と、
前記モード切換え判断部における判断の結果に基づいて、前記端末の現在のモードを維持するか、或いは、発生された電圧の類型に応じて端末のモード切換え信号を異ならせて前記メイン制御モジュールに引き渡すモード切換え制御部と、
を備える請求項３に記載の端末の制御装置。
【請求項５】
前記モード切換え判断部に格納される基準値は、第１の基準値及び前記第１の基準値に比べて大きな第２の基準値であり、
前記レシーバーセンサーの電圧値が第１の基準値以上、前記第２の基準値以下であるとき、前記モード切換え制御部は、前記端末のモードを現在のモードとは異なるモードに切り換え、
発生された前記レシーバーセンサーの電圧値が第１の基準値未満であれば、前記モード切換え制御部は、前記端末の現在のモード状態を維持し、
前記レシーバーセンサーの電圧値が第２の基準値を超えると、前記モード切換え制御部は、前記端末をセキュリティモードに切り換える請求項４に記載の端末の制御装置。
【請求項６】
前記セキュリティモードにおいては、セキュリティメッセージ又は警告メッセージを有するポップアップウィンドウを表示すること、起動有無を問うポップアップウィンドウを表示すること、スリープモードに切り換えることのうちのいずれか１つを行う請求項５に記載の端末の制御装置。
【請求項７】
それぞれ異なるモード切換えのための複数のモード切換え信号は、スリープモードである端末のウェイクアップモードへの切換え、前記端末の着信形態を音響モード、振動モード、ランプモードのうちのいずれか１つに切り換える着信モード切換え、緊急電話を行う緊急通話モード切換え、前記端末に取り付けられたカメラを起動させるカメラモード切換え、前記端末のディスプレイモジュールに視覚的に表示されて起動される機能に対する画面を切り換える画面モード切換えのうちのいずれか１つである請求項５に記載の端末の制御装置。
【請求項８】
前記モード切換え制御部が、電圧ピークの数に応じて、対応する信号を発生させて、端末のモード切換えを行うに当たって、
前記端末がスリープモードである状態で、前記電圧ピークの数が１つであるとき、第１のモード切換え信号を発生させて、前記端末に第１のモード切換えが行われるようにし、
前記端末がスリープモードである状態で、前記電圧ピークの数が２つであるとき、第２のモード切換え信号を発生させて、前記端末に第２のモード切換えが行われるようにし、
前記端末がスリープモードである状態で、前記電圧ピークの数が３つであるとき、第３のモード切換え信号を発生させて、前記端末に第３のモード切換えが行われるようにする請求項３に記載の端末の制御装置。
【請求項９】
前記第１乃至第３のモード切換えのそれぞれは、ウェイクアップモードへの切換え、前記端末の着信形態を音響モード、振動モード、ランプモードのうちのいずれか１つに切り換える着信モード切換え、緊急電話を行う緊急通話モード切換えのうちのいずれか１つである請求項８に記載の端末の制御装置。
【請求項１０】
前記モード切換え制御部が、電圧ピークの数に応じて、対応する信号を発生させて、端末のモード切換えを行うに当たって、
前記端末がウェイクアップモードである状態で、前記電圧ピークの数が１つであるとき、第４のモード切換え信号を発生させて、前記端末に第４のモード切換えが行われるようにし、
前記端末がウェイクアップモードである状態で、前記電圧ピークの数が２つであるとき、第５のモード切換え信号を発生させて、前記端末に第５のモード切換えが行われるようにする請求項６に記載の端末の制御装置。
【請求項１１】
前記第２のモード切換え信号及び第５のモード切換え信号は、最初の電圧ピークが発生されてから第１の基準時間以内に２番目の電圧ピークが発生されたときに発生される信号であり、
前記第３のモード切換え信号は、最初の電圧ピークが発生されてから第２の基準時間以内に２番目、３番目の電圧ピークが発生されたときに発生される信号である請求項１０に記載の端末の制御装置。
【請求項１２】
前記第４のモード切換え及び第５のモード切換えのそれぞれは、前記端末の着信形態を音響モード、振動モード、ランプモードのうちのいずれか１つに切り換える着信モード切換え及び前記端末に組み込まれている機能のうち、前記端末のディスプレイモジュールに視覚的に表示されて起動される機能に対する画面を切り換える画面モード切換えのうちのいずれか１つである請求項１０に記載の端末の制御装置。
【請求項１３】
前記レシーバーセンサーは、入力される電気的な信号により電話通話連結音及び相手方の音声をユーザーに伝えるスピーカーの役割を果たす請求項１乃至請求項１２のうちのいずれか1項に記載の端末の制御装置。
【請求項１４】
前記レシーバーセンサーは、前記端末の外部から加えられた外力により変形されて電圧を発生させる圧電層を有する素子である請求項１３に記載の端末の制御装置。
【請求項１５】
前記レシーバーセンサーは、電気的な信号及び物理的な外力間の相互変換を行う圧電層を有する骨伝導圧電レシーバーである請求項８に記載の端末の制御装置。
【請求項１６】
前記端末のディスプレイモジュールは、視覚的な表示効果を有するディスプレイ部と、前記ディスプレイ部を覆うように配設されたウィンドウと、を備え、
前記レシーバーセンサーは、前記ディスプレイモジュール及びウィンドウに比べて小さな面積を有するように製作されて前記ウィンドウの背面に対応して配設される請求項１乃至請求項１２のうちのいずれか1項に記載の端末の制御装置。
【請求項１７】
端末の起動モードを切り換える端末の制御方法であって、
前記端末に配設され、電気的な信号及び物理的な外力間の相互変換を行うレシーバーセンサーに端末のモード切換えのための信号が印加されたか否かを判断する過程と、
前記レシーバーセンサーに加えられる外力により発生された電圧データを用いて、前記端末を現在起動中のモードとは異なるモードに切り換えるか、或いは、現在起動中のモードを維持する過程と、
を含む端末の制御方法。
【請求項１８】
前記レシーバーセンサーにおいては、加えられる外力の大きさに応じて発生される電圧値が異なり、加えられる外力の回数に見合う数だけ電圧が発生され、複数回の外力が加えられる時間間隔に見合う時間間隔おきに複数の電圧ピークが発生される請求項１７に記載の端末の制御方法。
【請求項１９】
前記レシーバーセンサーにおいて発生された電圧データを分析することにより、発生された電圧ピークの値、電圧ピークの数及び複数の電圧ピーク間の発生時間間隔のうちの少なくともいずれか１つによりそれぞれ異なるモード切換えのための複数のモード切換え信号を発生させる請求項１８に記載の端末の制御方法。
【請求項２０】
前記レシーバーセンサーに端末のモード切換えのための信号が印加されたか否かを判断する過程は、
第１の電圧値を有する第１の基準値と、前記第１の基準値に比べて大きな電圧値を有する第２の基準値とを設定する過程と、
前記レシーバーセンサーにおいて発生された電圧値を検出する過程と、
検出された前記レシーバーセンサーの電圧値が前記第１の基準値以上、第２の基準値以下の範囲を満たす場合、前記レシーバーセンサーに端末モード切換えのための信号が印加されたと判断する過程と、
前記端末が現在スリープモードである状態で、発生された前記レシーバーセンサーの電圧値が第１の基準値未満であれば、前記端末を現在のモード状態に維持し、
前記レシーバーセンサーの電圧値が第２の基準値を超えると、前記モード切換え制御部は前記端末をセキュリティモードに切り換える請求項１９に記載の端末の制御方法。
【請求項２１】
前記セキュリティモードにおいては、前記端末のディスプレイ部にセキュリティメッセージ又は警告メッセージを有するポップアップウィンドウを表示すること、起動有無を問うポップアップウィンドウを表示すること、スリープモードに切り換えることのうちのいずれか１つを行う請求項２０に記載の端末の制御方法。
【請求項２２】
それぞれ異なるモード切換えのための複数のモード切換え信号は、スリープモードである端末のウェイクアップモードへの切換え、前記端末の着信形態を音響モード、振動モード、ランプモードのうちのいずれか１つに切り換える着信モード切換え、緊急電話を行う緊急通話モード切換え、前記端末に取り付けられたカメラを起動させるカメラモード切換え、前記端末のディスプレイモジュールに視覚的に表示されて起動される機能に対する画面を切り換える画面モード切換えのうちのいずれか１つである請求項２０に記載の端末の制御方法。
【請求項２３】
前記レシーバーセンサーの電圧値が前記第１の基準値以上、第２の基準値以下の範囲を満たす場合、前記端末を現在起動中のモードとは異なるモードに切り換えるに当たって、
端末が現在スリープモードであるか、ウェイクアップモードであるかを判断する過程と、
前記レシーバーセンサーにおいて発生された電圧データを分析して、電圧ピークの発生数を把握する過程と、
前記電圧ピークの数に応じて、それぞれ異なるモード切換えが行われるモード切換え信号を発生させて、前記スリープモード又はウェイクアップモード状態の端末を現在の状態とは異なるモードに切り換える過程と、
を含む請求項１９に記載の端末の制御方法。
【請求項２４】
前記電圧ピークの発生数を把握するに当たって、最初の電圧ピークが発生されてから基準時間以内にその次の電圧ピークが発生されるか否かを判断し、
最初の電圧ピークが発生されてから基準時間以内にその次の電圧ピークが発生される場合、前記最初の電圧ピークのみが発生された場合とは異なるモード切換えのためのモード切換え信号を発生させて、対応するモードに端末を切り換える請求項２３に記載の端末の制御方法。
【請求項２５】
前記電圧ピークの数に応じて、対応するモードに端末を切り換える過程において、
前記端末がスリープモードである状態で、前記電圧ピークの数が１つであるとき、第１のモード切換え信号を発生させて、前記端末に第１のモード切換えが行われるようにし、
前記端末がスリープモードである状態で、前記電圧ピークの数が２つであるとき、第２のモード切換え信号を発生させて、前記端末に第２のモード切換えが行われるようにし、
前記端末がスリープモードである状態で、前記電圧ピークの数が３つであるとき、第３のモード切換え信号を発生させて、前記端末に第３のモード切換えが行われるようにする請求項２４に記載の端末の制御方法。
【請求項２６】
前記第１乃至第３のモード切換えのそれぞれは、ウェイクアップモードへの切換え、前記端末の着信形態を音響モード、振動モード、ランプモードのうちのいずれか１つに切り換える着信モード切換え、緊急電話を行う緊急通話モード切換えのうちのいずれか１つである請求項２５に記載の端末の制御方法。
【請求項２７】
前記電圧ピークの数に応じて、対応するモードに端末を切り換える過程において、
前記端末がウェイクアップモードである状態で、前記電圧ピークの数が１つであるとき、第４のモード切換え信号を発生させて、前記端末に第４のモード切換えが行われるようにし、
前記電圧ピークの数が２つであるとき、第５のモード切換え信号を発生させて、前記端末に第５のモード切換えが行われるようにする請求項２５に記載の端末の制御方法。
【請求項２８】
前記第２のモード切換え信号及び第５のモード切換え信号は、最初の電圧ピークが発生されてから第１の基準時間以内に２番目の電圧ピークが発生されたときに発生される信号であり、
前記第３のモード切換え信号は、最初の電圧ピークが発生されてから第２の基準時間以内に２番目、３番目の電圧ピークが発生されたときに発生される信号である請求項２７に記載の端末の制御方法。
【請求項２９】
前記第４のモード切換え及び第５のモード切換えのそれぞれは、前記端末の着信形態を音響モード、振動モード、ランプモードのうちのいずれか１つに切り換える着信モード切換え及び前記端末に組み込まれている機能のうち、前記端末のディスプレイモジュールに視覚的に表示されて起動される機能に対する画面を切り換える画面モード切換えのうちのいずれか１つである請求項２８に記載の端末の制御方法。
【請求項３０】
前記レシーバーセンサーは、入力される電気的な信号により電話通話連結音及び相手方の音声をユーザーに伝えるスピーカーの役割を果たす請求項１７乃至請求項２９のうちのいずれか1項に記載の端末の制御方法。
【発明の詳細な説明】
【技術分野】
【０００１】
本発明は、端末の制御装置及びこれを用いた端末の制御方法に係り、更に詳しくは、端末のモード切換えを簡単に行うことのできる端末の制御装置及びこれを用いた端末の制御方法に関する。
【背景技術】
【０００２】
最近の情報通信技術や半導体技術などの発達には目を見張るものがあり、これに伴い、携帯端末の普及及び利用が急速に進んでいる。この種の携帯端末は、通話機能、音楽再生機能、メッセージの送受信機能、デジタル放送受信機能、インターネット接続機能など多種多様な機能を提供している。
【０００３】
一方、携帯端末は、持ち運び性を高めるためにバッテリーを使用しているが、バッテリーの使用により、電圧の消耗を減らすことは携帯端末分野において重要な課題として取り上げられている。そこで電圧の消耗を減らすための方法として、携帯端末を使用しないときに低電力モード、すなわち、スリープモード（ｓｌｅｅｐ ｍｏｄｅ）で動作させることが講じられるようになった。スリープモードで動作中の携帯端末にウェイクアップ（ｗａｋｅ ｕｐ）信号が入力されると、スリープモードを解除し、端末を活性化する活性化モードで動作させる。
【０００４】
このように端末をスリープモードからウェイクアップモードへと切り換えたり、ウェイクアップモードからスリープモードへと切り換えたりするために、端末のボディには物理的に加えられる力により動作するキー（又は、ボタン）を設け、ユーザーが前記キーを押下する動作により前記端末を起動させるようにしている。
【０００５】
ところが、外部に露出されているキーを押下する動作によりスリープモードとウェイクアップモードとの間の切換えが繰り返し行われる場合、前記キーの不良又は故障が頻繁に発生するという不具合がある。この理由から、最近では、物理的な加圧又は接触なしにモーション又は音声などを通じて端末をスリープモード又はウェイクアップモードに切り換える方法が講じられている。しかしながら、このような非接触式方法の場合、ユーザーの意図とは無関係に外部的な要因により誤作動が頻繁に起きるという不具合がある。
【発明の概要】
【発明が解決しようとする課題】
【０００６】
本発明は、端末のモード切換えを簡単に行うことのできる端末の制御装置及びこれを用いた端末の制御方法を提供することを目的とする。
【０００７】
また、本発明は、ユーザーが端末に加える外力でモード切換えを簡単に行うことのできる端末の制御装置及びこれを用いた端末の制御方法を提供することを目的とする。
【課題を解決するための手段】
【０００８】
上記目的を達成するために案出された本発明に係る端末の制御装置は、端末の起動モードを切り換えるモード制御モジュールを有する端末の制御装置であって、前記端末の駆動を制御するメイン制御モジュールと、前記端末に配設され、電気的な信号及び物理的な外力間の相互変換を行うレシーバーセンサーと、前記レシーバーセンサーにおいて発生された電気的な信号を分析して、前記端末のモード切換えを行う信号として処理し、前記モード切換え信号を前記メイン制御モジュールに引き渡す信号処理部と、を備える。
【０００９】
前記レシーバーセンサーは、加えられる外力の大きさに応じて発生される電圧値が異なり、外力の回数に見合う数だけ電圧が発生され、複数回の外力が加えられる時間間隔に見合う時間間隔おきに複数の電圧ピークが発生される。
【００１０】
前記モード切換え制御部は、前記レシーバーセンサーから発生された電圧データを分析することにより、電圧ピークの値、電圧ピークの数及び複数の電圧ピーク間の発生時間間隔のうちの少なくともいずれか１つによりそれぞれ異なるモード切換えのための複数のモード切換え信号を発生させる。
【００１１】
前記信号処理部は、前記外力が加えられる時間に応じて前記レシーバーセンサーにおいて発生された電圧値を収集し、収集された前記電圧値を格納するデータ収集部と、
【００１２】
前記データ収集部に格納されたレシーバーセンサーの電圧値と基準値とを比較して、端末のモード切換えのために、ユーザーの意図により加えられた外力であるか否かを判断するモード切換え判断部と、前記モード切換え判断部における判断の結果に基づいて、前記端末の現在のモードを維持するか、或いは、発生された電圧の類型に応じて端末のモード切換え信号を異ならせて前記メイン制御モジュールに引き渡すモード切換え制御部と、を備える。
【００１３】
前記モード切換え判断部に格納される基準値は、第１の基準値及び前記第１の基準値に比べて大きな第２の基準値であり、前記レシーバーセンサーの電圧値が第１の基準値以上、前記第２の基準値以下であるとき、前記モード切換え制御部は、前記端末のモードを現在のモードとは異なるモードに切り換え、発生された前記レシーバーセンサーの電圧値が第１の基準値未満であれば、前記モード切換え制御部は、前記端末の現在のモード状態を維持し、前記レシーバーセンサーの電圧値が第２の基準値を超えると、前記モード切換え制御部は、前記端末をセキュリティモードに切り換える。
【００１４】
前記セキュリティモードにおいては、セキュリティメッセージ又は警告メッセージを有するポップアップウィンドウを表示すること、起動有無を問うポップアップウィンドウを表示すること、スリープモードに切り換えることのうちのいずれか１つを行う。
【００１５】
それぞれ異なるモード切換えのための複数のモード切換え信号は、スリープモードである端末をウェイクアップモードに切り換え、前記端末の着信形態を音響モード、振動モード、ランプモードのうちのいずれか１つに切り換える着信モード切換え、緊急電話を行う緊急通話モード切換え、前記端末に取り付けられたカメラを起動させるカメラモード切換え、前記端末のディスプレイモジュールに視覚的に表示されて起動される機能に対する画面を切り換える画面モード切換えのうちのいずれか１つである。
【００１６】
前記モード切換え制御部が電圧ピークの数に応じて、対応する信号を発生させて、端末のモード切換えを行うに当たって、前記端末がスリープモードである状態で、前記電圧ピークの数が１つであるとき、第１のモード切換え信号を発生させて、前記端末に第１のモード切換えが行われるようにし、前記端末がスリープモードである状態で、前記電圧ピークの数が２つであるとき、第２のモード切換え信号を発生させて、前記端末に第２のモード切換えが行われるようにし、前記端末がスリープモードである状態で、前記電圧ピークの数が３つであるとき、第３のモード切換え信号を発生させて、前記端末に第３のモード切換えが行われるようにする。
【００１７】
前記第１乃至第３のモード切換えのそれぞれは、ウェイクアップモードへの切換え、前記端末の着信形態を音響モード、振動モード、ランプモードのうちのいずれか１つに切り換える着信モード切換え、緊急電話を行う緊急通話モード切換えのうちのいずれか１つである。
【００１８】
前記モード切換え制御部が、電圧ピークの数に応じて、対応する信号を発生させて、端末のモード切換えを行うに当たって、前記端末がウェイクアップモードである状態で、前記電圧ピークの数が１つであるとき、第４のモード切換え信号を発生させて、前記端末に第４のモード切換えが行われるようにし、前記端末がウェイクアップモードである状態で、前記電圧ピークの数が２つであるとき、第５のモード切換え信号を発生させて、前記端末に第５のモード切換えが行われるようにする。
【００１９】
前記第２のモード切換え信号及び第５のモード切換え信号は、最初の電圧ピークが発生されてから第１の基準時間以内に２番目の電圧ピークが発生されたときに発生される信号であり、前記第３のモード切換え信号は、最初の電圧ピークが発生されてから第２の基準時間以内に２番目、３番目の電圧ピークが発生されたときに発生される信号である。
【００２０】
前記第４のモード切換え及び第５のモード切換えのそれぞれは、前記端末の着信形態を音響モード、振動モード、ランプモードのうちのいずれか１つに切り換える着信モード切換え及び前記端末に組み込まれている機能のうち、前記端末のディスプレイモジュールに視覚的に表示されて起動される機能に対する画面を切り換える画面モード切換えのうちのいずれか１つである。
【００２１】
前記レシーバーセンサーは、入力される電気的な信号により電話通話連結音及び相手方の音声をユーザーに伝えるスピーカーの役割を果たす。
【００２２】
前記レシーバーセンサーは、前記端末の外部から加えられた外力により変形されて電圧を発生させる圧電層を有する素子である。
【００２３】
前記レシーバーセンサーは、電気的な信号及び物理的な外力間の相互変換を行う圧電層を有する骨伝導圧電レシーバーである。
【００２４】
前記端末のディスプレイモジュールは、視覚的な表示効果を有するディスプレイ部と、前記ディスプレイ部を覆うように配設されたウィンドウと、を備え、前記レシーバーセンサーは、前記ディスプレイモジュール及びウィンドウに比べて小さな面積を有するように製作されて前記ウィンドウの背面に対応して配設される。
【００２５】
本発明に係る端末の制御方法は、端末の起動モードを切り換える端末の制御方法であって、前記端末に配設され、電気的な信号及び物理的な外力間の相互変換を行うレシーバーセンサーに端末のモード切換えのための信号が印加されたか否かを判断する過程と、前記レシーバーセンサーに加えられる外力により発生された電圧データを用いて、前記端末を現在起動中のモードとは異なるモードに切り換えるか、或いは、現在起動中のモードを維持する過程と、を含むことを特徴とする。
【００２６】
前記レシーバーセンサーにおいては、加えられる外力の大きさに応じて発生される電圧値が異なり、加えられる外力の回数に見合う数だけ電圧が発生され、複数回の外力が加えられる時間間隔に見合う時間間隔おきに複数の電圧ピークが発生される。
【００２７】
前記レシーバーセンサーから発生された電圧データを分析することにより、発生された電圧ピークの値、電圧ピークの数及び複数の電圧ピーク間の発生時間間隔のうちの少なくともいずれか１つによりそれぞれ異なるモード切換えのための複数のモード切換え信号を発生させる。
【００２８】
前記レシーバーセンサーに端末のモード切換えのための信号が印加されたか否かを判断する過程は、第１の電圧値を有する第１の基準値と、前記第１の基準値に比べて大きな電圧値を有する第２の基準値とを設定する過程と、前記レシーバーセンサーから発生された電圧値を検出する過程と、検出された前記レシーバーセンサーの電圧値が前記第１の基準値以上、第２の基準値以下の範囲を満たす場合、前記レシーバーセンサーに端末モード切換えのための信号が印加されたと判断する過程と、前記端末が現在スリープモードである状態で、発生された前記レシーバーセンサーの電圧値が第１の基準値未満であれば、前記端末を現在のモード状態に維持し、前記レシーバーセンサーの電圧値が第２の基準値を超えると、前記モード切換え制御部は前記端末をセキュリティモードに切り換える。
【００２９】
前記セキュリティモードにおいては、セキュリティメッセージ又は警告メッセージを有するポップアップウィンドウを表示すること、起動有無を問うポップアップウィンドウを表示すること、スリープモードに切り換えることのうちのいずれか１つを行う。
【００３０】
それぞれ異なるモード切換えのための複数のモード切換え信号は、スリープモードである端末をウェイクアップモードに切り換え、前記端末の着信形態を音響モード、振動モード、ランプモードのうちのいずれか１つに切り換える着信モード切換え、緊急電話を行う緊急通話モード切換え、前記端末に取り付けられたカメラを起動させるカメラモード切換え、前記端末のディスプレイモジュールに視覚的に表示されて起動される機能に対する画面を切り換える画面モード切換えのうちのいずれか１つである。
【００３１】
前記レシーバーセンサーの電圧値が前記第１の基準値以上、第２の基準値以下の範囲を満たす場合、前記端末を現在起動中のモードとは異なるモードに切り換えるに当たって、現在の端末モードがスリープモードであるか、ウェイクアップモードであるかを判断する過程と、前記レシーバーセンサーにおいて発生された電圧データを分析して、電圧ピークの発生数を把握する過程と、前記電圧ピークの数に応じて、それぞれ異なるモード切換えが行われるモード切換え信号を発生させて、前記スリープモード又はウェイクアップモード状態の端末を現在の状態とは異なるモードに切り換える過程と、を含む。
【００３２】
前記電圧ピークの発生数を把握するに当たって、最初の電圧ピークが発生されてから基準時間以内にその次の電圧ピークが発生されるか否かを判断し、最初の電圧ピークが発生されてから基準時間以内にその次の電圧ピークが発生される場合、前記最初の電圧ピークのみが発生された場合とは異なるモード切換えのためのモード切換え信号を発生させて、対応するモードに端末を切り換える。
【００３３】
前記電圧ピークの数に応じて、端末を切り換える過程において、前記端末がスリープモードである状態で、前記電圧ピークの数が１つであるとき、第１のモード切換え信号を発生させて、前記端末に第１のモード切換えが行われるようにし、前記端末がスリープモードである状態で、前記電圧ピークの数が２つであるとき、第２のモード切換え信号を発生させて、前記端末に第２のモード切換えが行われるようにし、前記端末がスリープモードである状態で、前記電圧ピークの数が３つであるとき、第３のモード切換え信号を発生させて、前記端末に第３のモード切換えが行われるようにする。
【００３４】
前記第１乃至第３のモード切換えのそれぞれはウェイクアップモードに切換え、前記端末の着信形態を音響モード、振動モード、ランプモードのうちのいずれか１つに切り換える着信モード切換え、緊急電話を行う緊急通話モード切換えのうちのいずれか１つである。
【００３５】
前記電圧ピークの数に応じて、端末を切り換える過程において、前記端末がウェイクアップモードである状態で、前記電圧ピークの数が１つであるとき、第４のモード切換え信号を発生させて、前記端末に第４のモード切換えが行われるようにし、前記電圧ピークの数が２つであるとき、第５のモード切換え信号を発生させて、前記端末に第５のモード切換えが行われるようにする。
【００３６】
前記第２のモード切換え信号及び第５のモード切換え信号は、最初の電圧ピークが発生されてから第１の基準時間以内に２番目の電圧ピークが発生されたときに発生される信号であり、前記第３のモード切換え信号は、最初の電圧ピークが発生されてから第２の基準時間以内に２番目、３番目の電圧ピークが発生されたときに発生される信号である。
【００３７】
前記第４のモード切換え及び第５のモード切換えのそれぞれは、前記端末の着信形態を音響モード、振動モード、ランプモードのうちのいずれか１つに切り換える着信モード切換え及び前記端末に組み込まれている機能のうち、前記端末のディスプレイモジュールに視覚的に表示されて起動される機能に対する画面を切り換える画面モード切換えのうちのいずれか１つである。
【００３８】
前記レシーバーセンサーは、入力される電気的な信号により電話通話連結音及び相手方の音声をユーザーに伝えるスピーカーの役割を果たす。
【発明の効果】
【００３９】
本発明の実施形態によれば、ユーザーが端末のウィンドウに外力を加える、すなわち、ノックをするなどの簡単な動作で、端末のモード切換えを簡単に行うことができる。また、外力により端末のモード切換えを行うセンサーとして、レシーバーセンサーを用いることにより、従来に比べてより正確且つ簡単に端末モードの切換えを行うことができる。さらに、ユーザーの意図とは無関係に外力が加えられたときにモード切換えが行われたり、ディスプレイモジュールがオン（ＯＮ）状態に維持されたりすることを防ぐことができて、端末の誤作動を低減することができ、しかも、ユーザーの個人情報を保護することができる。
【図面の簡単な説明】
【００４０】
【図１】本発明の実施形態に係る端末の一例を上側から見下ろした上面図。
【図２】本発明の実施形態に係る端末の構成をブロック化して示す図。
【図３】本発明の実施形態に係るレシーバーセンサーを説明するための図。
【図４】本発明の実施形態に係るレシーバーセンサーに外力を加えたときに発生された電圧値を示すグラフ。
【図５】本発明の実施形態に係るレシーバーセンサーに外力を加えたときに発生された電圧値を示すグラフ。
【図６】本発明の実施形態に係るレシーバーセンサーに外力を加えたときに発生された電圧値を示すグラフ。
【図７】本発明の実施形態に係るモード制御モジュールを有する制御装置におけるモードの切換え方法を順次に示す手順図。
【図８】本発明の実施形態に係るモード制御モジュールを有する制御装置におけるモードの切換え方法を順次に示す手順図。
【図９】本発明の実施形態に係るモード制御モジュールを有する制御装置におけるモードの切換え方法を順次に示す手順図。
【発明を実施するための形態】
【００４１】
以下、添付図面に基づいて本発明の実施形態について詳細に説明する。しかしながら、本発明は以下に開示される実施形態に何ら限定されるものではなく、異なる様々な形態に具体化され、単にこれらの実施形態は本発明の開示を完全たるものにし、通常の知識を有する者に発明の範囲を完全に知らせるために提供されるものである。図中、同じ符号は同じ構成要素を指し示す。
【００４２】
図１は、本発明の実施形態に係る端末の一例を上側から見下ろした上面図であり、図２は、本発明の実施形態に係る端末の構成をブロック化して示す断面図であり、図３は、本発明の実施形態に係るレシーバーセンサーを説明するための図である。
【００４３】
また、図４から図６は、本発明の実施形態に係るレシーバーセンサーに外力を加えたときに発生された電圧値を示すグラフであり、図７から図９は、本発明の実施形態に係るモード制御モジュールを有する制御装置におけるモードの切換え方法を順次に示す手順図である。
【００４４】
本発明の実施形態に係る端末の制御装置及びこれを用いた端末の制御方法について詳細に説明するに先立って、本発明に係る端末としては、携帯端末及び固定端末が挙げられる。ここで、携帯端末としては、持ち運び性に優れた電子機器であって、画像電話機、携帯電話、スマートフォン（ｓｍａｒｔ ｐｈｏｎｅ）、広帯域符号分割多元接続（ＷＣＤＭＡ（登録商標））端末、ユニバーサル・モバイル・テレ コミュニケーション・システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）端末、携帯情報端末（ＰＤＡ：Ｐｅｒｓｏｎａｌ  Ｄｉｇｉｔａｌ  Ａｓｓｉｓｔａｎｔ）、ポータブルマルチメディアプレーヤー（ＰＭＰ：Ｐｏｒｔａｂｌｅ  Ｍｕｌｔｉｍｅｄｉａ  Ｐｌａｙｅｒ）、デジタルマルチメディア放送（ＤＭＢ：Ｄｉｇｉｔａｌ  Ｍｕｌｔｉｍｅｄｉａ  Ｂｒｏａｄｃａｓｔｉｎｇ）端末、電子書籍、ノート型パソコン（Ｎｏｔｅｂｏｏｋ）及びタブレットＰＣなどの携帯用パソコン又はデジタルカメラ（Ｄｉｇｉｔａｌ  Ｃａｍｅｒａ）などが挙げられる。また、固定端末としては、デスクトップパソコンなどが挙げられる。
【００４５】
以下では、本発明の実施形態に係る端末について説明するに当たって、携帯端末、より具体的には、スマートフォンを例にとって説明する。
【００４６】
図１及び図２を参照すると、本発明の実施形態に係る端末は、外観をなし、内部空間を有するケース１１０と、ケース１１０の前面に配設されるディスプレイモジュール１２０と、カメラ１４０と、ユーザーが操作可能なようにケース１１０に設けられたユーザー操作部１５０と、ケース１１０の内部に配設されて受信される信号により振動を発生させる振動発生器１６０と、発光するランプ１７０と、を備える。また、本発明の実施形態に係る端末は、ケース１１０の側面及び背面のうちのいずれか一方に配設されて、端末から発せられる音響、例えば、歌、通話着信音、報知音、警報音などを出力するスピーカー１３０と、ケース１１０の外側又はケース１１０の内部に配設され、端末と無線通信システムとの間又は端末とネットワークとの間の無線通信を可能にする無線通信モジュール１８０と、ケース１１０の内部に配設されて端末の駆動を全体的に制御する制御装置２００と、を備える。更に、端末は、制御装置２００の動作のためのプログラム、入出力されるメッセージ、イメージ、動画などのデータを格納するメモリ部３００と、制御装置２００により外部の電源、内部の電源を印加されて、各構成要素の動作に必要な電源を供給する電源供給部１９０と、を備える。
【００４７】
ケース１１０は、ディスプレイモジュール１２０と連結されて、端末の外観をなす要素であり、ディスプレイモジュール１２０の下部に配設されて、前記ディスプレイモジュール１２０を支持する。また、ケース１１０とディスプレイモジュール１２０との間の空間には、端末の構成品である各種の部品、例えば、無線通信モジュール１８０と、端末の駆動を全体的に制御する制御装置２００などの各種の電子部品が組み込まれる。
【００４８】
ケース１１０の外周面には、音（又は、音響、オーディオ）を出力するスピーカー１３０と、音を受信するマイクと、ユーザーが操作可能であり、端末の動作を制御するユーザー操作部１５０と、が配設される。なお、ケース１１０には、電話通話のためのアンテナ、放送受信用アンテナが配設されてもよいが、前記アンテナは、ケース１１０の内部に配設されてもよく、ケース１１０の外部に引き出し自在に配設されてもよい。
【００４９】
スピーカー１３０は、端末内において発生される音響、例えば、通話及びメッセージなどの着信報知音、他の付加的な機能のための報知音、メモリ部３００に格納されたオーディオ及び映像ファイルによるオーディオデータなどを出力する。
【００５０】
マイクは、通話の際にユーザーの音声又はその他のオーディオ信号を収集する。
【００５１】
ユーザー操作部１５０は、端末の動作を制御するための指令を入力されるために、ユーザーが操作可能なように設けられる。ユーザー操作部１５０は、複数の操作部からなり、例えば、ディスプレイモジュール１２０の側方向に位置するようにケース１１０に設けられ、音響操作ボタン、各種の外部端子連結ポートの機能を行う第２及び第３の操作部などであってもよい。
【００５２】
ディスプレイモジュール１２０は、文字、数字、記号、グラフィック、映像、写真又はアイコンなどの形式の各種の情報を視覚的に表示するディスプレイ部と、ディスプレイ部を覆うようにケース１１０の上側に対応して配設されるウィンドウと、を備える。
【００５３】
ディスプレイ部としては、液晶ディスプレイ部（ｌｉｑｕｉｄ ｃｒｙｓｔａｌ ｄｉｓｐｌａｙ；ＬＣＤ）、有機発光ダイオード（ｏｒｇａｎｉｃ ｌｉｇｈｔ−ｅｍｉｔｔｉｎｇ ｄｉｏｄｅ；ＯＬＥＤ）、フレキシブルディスプレイ部（ｆｌｅｘｉｂｌｅ ｄｉｓｐｌａｙ）、３次元ディスプレイ部（３Ｄ ｄｉｓｐｌａｙ）などが挙げられる。このようなディスプレイ部は、その画面が全体の領域に亘って作動されてもよく、複数の領域に分割されて作動されてもよいが、後者の場合、互いに関連して作動されるように構成可能である。
【００５４】
ウィンドウは、ケース１１０の上側に対応して配設されるディスプレイ部を覆い、透光性の材料、例えば、ガラスである。また、このようなウィンドウの下側にはディスプレイ部が配設されるが、実施形態に係るウィンドウ及びケース１１０は、ディスプレイ部に比べて大きな面積を有するように設けられる。すなわち、ディスプレイ部は、ウィンドウ及びケース１１０に比べて小さな面積を有するようにウィンドウとケース１１０との間に配設される。このため、ウィンドウは、ディスプレイ部の上側を覆うに当たって、前記ディスプレイ部の外側まで覆う。また、ウィンドウの領域のうちディスプレイ部と対応位置する領域には、ユーザーの静電気により駆動する静電容量方式のタッチセンサー又はユーザーが押下する力により動作する抵抗方式のタッチセンサーが取り付けられる。このため、ユーザーがウィンドウをタッチすると、静電容量方式又は抵抗方式により動作するタッチセンサーの信号が制御装置に送られ、これにより、制御装置２００により当該機能が行われる。例えば、制御装置２００は、ディスプレイモジュール１２０のどのような領域がタッチされたかを分析し且つ判断して、当該領域に対応する機能を行うように駆動される。
【００５５】
また、ウィンドウの領域のうちディスプレイ部と対応位置しない領域、換言すると、ディスプレイ部の外側領域にカメラ１４０、発光するランプ１７０が配設されてもよい。
【００５６】
カメラ１４０は、被写体を撮影するための装置であり、被写体を電気的な映像信号に変換する。実施形態に係るカメラ１８０は、相補型金属酸化膜半導体（ＣＭＯＳ：Ｃｏｍｐｌｅｍｅｎｔａｒｙ Ｍｅｔａｌ Ｏｘｉｄｅ Ｓｅｍｉｃｏｎｄｕｃｔｏｒ）方式又は電荷結合素子（ＣＣＤ：Ｃｈａｒｇｅ Ｃｏｕｐｌｅｄ Ｄｅｖｉｃｅ）方式のカメラであってもよい。このようなカメラについての詳細な説明は、本発明の技術分野において通常の知識を有する者にとって自明であるため省略する。特に、本発明に係る前記カメラは、制御装置のメイン制御モジュールと接続されてもよい。
【００５７】
無線通信モジュール１８０は、端末と無線通信システムとの間又は端末と端末が位置するネットワークとの間の無線通信を可能にする１つ以上のモジュールを備えていてもよい。例えば、無線通信モジュール１８０は、放送受信部、移動通信部、無線インターネット部及び位置情報部などを備えていてもよい。
【００５８】
メモリ部３００は、制御装置２００の動作のためのプログラムを格納してもよく、入出力されるデータを格納してもよい。より具体的に、メモリ部３００は、時計、音楽の再生、ゲーム、端末の設定、ＳＮＳなどの各種のアプリケーションの動作のための各種のプログラム、放送受信部を介して受信された放送信号及び／又は放送関連情報、カメラにおいて処理された画像データ、音声又は音響などの各種の音を格納してもよい。
【００５９】
このようなメモリ部３００は、プラッシュメモリタイプ（ｆｌａｓｈ ｍｅｍｏｒｙ ｔｙｐｅ）、ハードディスクタイプ（ｈａｒｄ ｄｉｓｋ ｔｙｐｅ）、マルチメディアカードマイクロタイプ（ｍｕｌｔｉｍｅｄｉａ ｃａｒｄ ｍｉｃｒｏ ｔｙｐｅ）、カードタイプのメモリ（例えば、ＳＤ又はＸＤメモリなど）、ランダムアクセスメモリ（ＲＡＭ：Ｒａｎｄｏｍ Ａｃｃｅｓｓ Ｍｅｍｏｒｙ）、スタティックランダムアクセスメモリ（ＳＲＡＭ：Ｓｔａｔｉｃ Ｒａｎｄｏｍ Ａｃｃｅｓｓ Ｍｅｍｏｒｙ）、リードオンリーメモリ（ＲＯＭ：Ｒｅａｄ−Ｏｎｌｙ Ｍｅｍｏｒｙ）、電気的消去可能プログラマブルリードオンリーメモリ（ＥＥＰＲＯＭ：Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、プログラマブルリードオンリーメモリ（ＰＲＯＭ：Ｐｒｏｇｒａｍｍａｂｌｅ Ｒｅａｄ−Ｏｎｌｙ Ｍｅｍｏｒｙ）、磁気メモリ、磁気ディスク、光ディスクのうちの少なくとも１つのタイプの格納媒体を備えていてもよい。
【００６０】
以下では、図２に基づき、本発明の実施形態に係る制御装置２００の構成について説明する。
【００６１】
図２を参照すると、本発明に係る制御装置２００は、端末の全般的な動作を制御するメイン制御モジュール２１０と、外力により動作するレシーバーセンサー２２１と、を備え、レシーバーセンサー２２１の動作により出力される信号に基づいて端末のモード切換えを行うモード制御モジュール２２０を備える。
【００６２】
メイン制御モジュール２１０は、端末の全般的な動作を制御する。例えば、音声通話、データ通信、テレビ通話、音響の出力、映像の出力、振動の発生、光の発生などに関する制御及び処理を行う。また、制御装置２００は、ディスプレイモジュール１２０上において行われる筆記入力、描画の入力をそれぞれ文字及びイメージとして認識可能なパターン認識処理を行ってもよい。すなわち、制御装置２００は、上述したディスプレイモジュール１２０、カメラ１４０、スピーカー１３０、振動発生器１６０、ランプ１７０、無線通信モジュール１８０、メモリ部３００、電源供給部１９０などと連動されて、端末においてこれらの機能を行うように制御する。このような制御装置２００は、ハードウェア的な一例に過ぎず、ケース１１０の内部に配設される回路基板により構成されてもよい。すなわち、カメラ１４０は、回路基板と接続されて、撮像されたイメージ又は画像が回路基板により制御されてディスプレイモジュール１２０を介して表示されるようにする。なお、スピーカー１３０が回路基板と接続されて、各種の映像、オーディオ、報知音などが回路基板により制御されてスピーカー１３０を介して出力されるようにする。なお、振動発生器１６０及びランプ１７０などが回路基板と接続されて、振動及び光が発生されるようにする。
【００６３】
また、本発明に係るメイン制御モジュール２１０は、後述するモード制御モジュール２２０と連動されて、前記モード制御モジュール２２０から入力される信号に基づいて、端末の動作モードを制御する。
【００６４】
モード制御モジュール２２０は、加えられる外力により端末のモード切換えのための信号を出力する。ここで、端末のモードとは、ディスプレイモジュールがオフ（ＯＦＦ）になって、ディスプレイモジュール１２０に文字、数字、イメージ、映像などが表示されないスリープ（Ｓｌｅｅｐ）モードの状態で、ディスプレイモジュール１２０をオン（ＯＮ）にして、文字、数字、イメージ、映像などが表示されるようにするウェイクアップ（ｗａｋｅｕｐ）モード、ディスプレイモジュール１２０がオン（ＯＮ）状態であるウェイクアップ（ｗａｋｅｕｐ）モードでディスプレイモジュール１２０をオフ（ＯＦＦ）モードに切り換えるスリープモード、端末がウェイクアップモードである状態で端末の色々な機能が画面、ポップアップウィンドウ又はアイコンの形で活性化されて行われているとき、他の非活性化された機能のための画面、ポップアップウィンドウ、アイコンなどを切り換える画面切換えモード、端末の通話又はメッセージなどの着信信号を振動、音響、ランプなどのモードに切り換える着信切換えモードなどであってもよい。もちろん、モード切換えの種類は上述した例に何等限定されるものではなく、端末に組み込まれている他の機能の間において種々に適用可能である。
【００６５】
画面切換えモードは、例えば、現在ディスプレイモジュール１２０に音楽の再生のための画面、ポップアップウィンドウ、アイコンが表示されている状態であるとき、端末の他の機能であるカメラ１４０の起動のための画面、ポップアップウィンドウ、アイコンに切り換えられるものであってもよい。もちろん、画面切換えモードは、例にとって上述した音楽再生モード及びカメラモード間の切換えに何等限定されるものではなく、端末の各種の機能間の切換えが可能である。
【００６６】
更に、画面切換えモードは、端末の色々な機能のうちのいずれか１つを行っている状態で、端末の主な機能又はユーザーが設定した機能を行うための複数のアイコンを有するポップアップウィンドウに切り換える形態のものであってもよい。このとき、ポップアップウィンドウに画面が切り換えられると、これらのうち起動させようとするアイコンをタッチすることにより、当該アイコンに対する機能を行ってもよい。
【００６７】
上述したような端末のモード切換え信号を出力するモード制御モジュール２２０は、ケース１１０の内部にウィンドウに対応して配設され、電気的な信号及び物理的な外力間の相互変換を行って、入力される通話信号により通話連結音及び相手方の音声をユーザーに伝え、端末のモード切換え信号を発生させるレシーバーセンサー２２１と、レシーバーセンサー２２１において発生された電圧の大きさ、電圧の発生回数及び複数の電圧の発生時点間の時間的な間隔（ｉｎｔｅｒｖａｌ）などを分析して外力の種類を判断し、端末の起動モードを切り換える信号処理部２２２と、を備える。ここで、レシーバーセンサー２２１は、ウィンドウにより外部に露出されずに覆われた状態である。
【００６８】
本発明の実施形態に係るレシーバーセンサー２２１は、骨伝導圧電レシーバーであって、図３に示すように、上下に積み重ねられた第１及び第２の圧電層２２１ａ、２２１ｂと、第１の圧電層２２１ａの上部の表面の一部に形成された第１の主面電極２２１ｃと、第２の圧電層２２１ｂの下部の表面の一部に形成された第２の主面電極２２１ｄと、第１の圧電層２２１ａと第２の圧電層２２１ｂとの間に形成された内部電極２２１ｅと、第１及び第２の圧電層２２１ａ、２２１ｂの一方の側面部に形成された第１の端面電極２２１ｆと、第１の端面電極２２１ｆと向かい合うように第１及び第２の圧電層２２１ａ、２２１ｂの他方の側面部に形成された第２の端面電極２２１ｇと、第１の圧電層２２１ａの上部面において一方の端が第２の端面電極２２１ｇの一方の端と接続され、他方の端が第１の主面電極２２１ｃから離れるように形成された第１の補助電極２２１ｈと、第２の圧電層２２１ｄの下部面において一方の端が第２の端面電極２２１ｇの他方の端と接続され、他方の端が第２の主面電極２２１ｄから離れるように形成された第２の補助電極２２１ｉと、を備える。このような実施形態に係るレシーバーセンサー２２１によれば、第１の主面電極２２１ｃの一方の端が第１の端面電極２２１ｆと接続され、第１の主面電極２２１ｆの他方の端が第１の補助電極２２１ｈから離れて形成され、第２の主面電極２２１ｄの一方の端は第１の端面電極２２１ｆと接続され、第２の主面電極２２１ｄの他方の端は第２の補助電極２２１ｇから離れて形成される。なお、内部電極２２１ｅは、第１及び第２の端面電極２２１ｆ、２２１ｇのうちのいずれか一方、例えば、第２の端面電極２２１ｇと接続されており、第１の端面電極２２１ｆからは離れている。
【００６９】
また、上述したように、レシーバーセンサー２２１は、入力される通話信号により通話連結音及び相手方の音声をユーザーに伝えるスピーカーの役割と、端末のモード制御のための信号を発生させる信号発生手段の役割を併せ持つ。すなわち、レシーバーセンサー２２１は、メイン制御モジュール２１０からの通話連結音及び相手方の通話音声をユーザーの耳に伝えるスピーカーの役割と、加えられる外力により発生された電圧データを信号処理部２２２に引き渡して、端末のモード制御に用いられるようにモード切換え信号を発生させる役割を併せ持つ。
【００７０】
このために、メイン制御モジュール２１０及びレシーバーセンサー２２１を接続するように第１及び第２の電源ライン２２４ａ、２２４ｂを設け、第１の電源ライン２２４ａの一方の端は第１の主面電極２２１ｃに接続し、第２の電源ライン２２４ｂの一方の端は第２の端面電極２２１ｇに接続する。このため、移動通信部及びメイン制御モジュール２１０から出力される電気的な信号は、第１及び第２の電源ライン２２４ａ、２２４ｂを介して第１の主面電極２２１ｃ及び第２の端面電極２２１ｇに接続され、これにより、第１及び第２の圧電層２２１ａ、２２１ｂが収縮及び膨張して振動が発生され、その結果、通話連結音及び相手方の通話音声がユーザーの耳に伝えられる。
【００７１】
また、モード制御モジュール２２０及びレシーバーセンサーを接続するように第３及び第４の電源ライン２２３ａ、２２３ｂを設け、第３の電源ライン２２３ａの一方の端は第１の主面電極２２１ｃに接続し、第４の電源ライン２２３ｂの一方の端は第２の端面電極２２１ｇに接続する。
【００７２】
このようなレシーバーセンサー２２１に外力を加えると、第１及び第２の圧電層２２１ａ、２２１ｂのそれぞれにおいて電気的な信号、すなわち、電圧が発生され、これらの電圧値は、第３及び第４の電源ライン２２３ａ、２２３ｂのそれぞれによりモード制御モジュール２２０に引き渡される。
【００７３】
このようにレシーバーセンサー２２１から発生された電気的な信号、すなわち、電圧は、上述したように、第３及び第４の電源ライン２２３ａ、２２３ｂを介して移動して、後述するモード制御モジュール２２０に引き渡されて端末のモード制御に用いられる。
【００７４】
上述した外力は、ウィンドウ上におけるレシーバーセンサー２２１の配設位置に加えられる力であり、ユーザーがウィンドウ上におけるレシーバーセンサー２２１の配設位置を所定の力以上の力を入れてタッチ（Ｔｏｕｔｃｈ）又は押下する力である。ユーザーがレシーバーセンサー２２１をタッチしたり外力を加えたりすることを「ノック（ｋｎｏｃｋ）」と称する。なお、ノックの種類は、ユーザーによる単発的な１回のノック、２回のノック、それ以上の回数のノックなどに種々に変更可能である。さらに、ノックの種類は、２回以上の複数回のノックを行うとき、その複数回のノック間の時間間隔（ｉｎｔｅｒｖａｌ）などに種々に変更可能である。
【００７５】
信号処理部２２２は、加えられる外力又はノックによりレシーバーセンサー２２１において発生された電圧データを収集するデータ収集部２２２ａと、データ収集部２２２ａからの電圧データと基準値とを比較して、レシーバーセンサー２２１にモード切換えのための信号が入力されたか、或いは、ユーザーの意図とは無関係な外力が発生されたかを判断するモード切換え判断部２２２ｂと、レシーバーセンサー２２１に加えられた外力又は入力されたノックによる外力がユーザーがモード切換えのために入力した信号であると判断する場合、検出された電圧データの種類に応じてモード切換えの種類を決定して、当該モード切換えのための信号をメイン制御モジュール２１０に引き渡すモード切換え制御部２２２ｃと、を備える。
【００７６】
データ収集部２２２ａは、レシーバーセンサー２２１において発生された電圧データをリアルタイムにて受け取って格納する。すなわち、データ収集部２２２ａは、レシーバーセンサー２２１に外力が加えられた瞬間から外力が解放されるまでに発生された電圧値を収集して格納する。
【００７７】
モード切換え判断部２２２ｂは、格納された基準値と、データ収集部２２２ａからの電圧データとを比較して、検出された電圧データが基準値を満たすか否かを判断して、レシーバーセンサー２２１に加えられた外力がユーザーがモード切換えのために意図的に入力した信号であるかを判断する。ここで、前記基準値は、第１の基準値、第２の基準値を含み、前記第１及び第２の基準値のそれぞれは、電圧値である。第１及び第２の基準値の詳細については後述する。
【００７８】
一方、ユーザー又は他の物体がレシーバーセンサーに擦れたり、接触（又は、コンタクト）したりするとき、非常に小さな外力がレシーバーセンサー２２１に伝えられることがある。ところが、ユーザーの意図とは無関係にユーザー又は外部の物体がレシーバーセンサー２２１に擦れたり、接触したりするとき、ディスプレイモジュール１２０がウェイクアップされたり、ウェイクアップの状態で他の機能を行うための画面、ポップアップウィンドウ又はアイコンなどに切り換えられたりすると、端末を制御し難い。
【００７９】
このため、ユーザーの意図とは無関係にレシーバーセンサー２２１に非常に小さな外力が加えられたとき、端末のモード切換えが行われることを防ぐためには、モード切換えのための最小限の電圧値を設定する必要があり、モード切換えのために最小限に発生すべき電圧値が基準値（以下、第１の基準値）であり、これは、モード切換え判断部２２２ｂに格納される。ここで、検出された電圧値のうち、第１の基準値と比較すべき電圧値は、例えば、最大の電圧値であってもよい。もちろん、本発明はこれに何等限定されるものではなく、検出された電圧値の平均電圧値を第１の基準値と比較してもよく、前記第１の基準値は、前記平均電圧値との比較の際に基準となる電圧平均値である。
【００８０】
また、逆に、ユーザーが端末のモード切換えを意図しなかったが、ユーザーのミス又は何らかの外部の要因により端末が落下することがあり、このとき、レシーバーセンサー２２１には大きな衝撃による外力が加えられることがある。このため、本発明においては、上述したような大きな外力がレシーバーセンサーに加えられる場合、ユーザーがモード切換えを意図してレシーバーセンサー２２１をノックしたとは判断しない。更に、特に、ユーザーが端末をウェイクアップ状態で使用している間に、端末を床面に落とす場合、活性化中の端末の機能（例えば、金融、スケジュールプログラムなど）がそのまま活性化されてディスプレイモジュール１２０に表示された状態で露出されることがある。このような場合、ユーザー以外の他人に当該端末のディスプレイ部に表示された情報が露出されてしまう虞がある。このため、端末がスリープモードである状態で、ユーザーの意図とは無関係にレシーバーセンサーに大きな外力が加えられたとき、端末をウェイクアップモードに切り換えることなく、端末がウェイクアップモードである状態で、ユーザーの意図とは無関係にレシーバーセンサーに大きな外力が加えられたとき、端末をセキュリティモードに切り換えるためには、第１の基準値に比べて大きな基準電圧値である第２の基準値を設定する必要があり、第２の基準値はモード切換え判断部２２２ｂに格納される。ここで、検出された電圧値のうち、第２の基準値と比較すべき電圧値は、例えば、最大の電圧値であってもよい。もちろん、本発明はこれに何等限定されるものではなく、検出された電圧値の平均電圧値を第２の基準値と比較してもよく、前記第２の基準値は、前記平均電圧値との比較の際に基準となる電圧平均値である。
【００８１】
このように、本発明においては、端末がスリープモードである状態でユーザーが端末を落としたり、何等かの他の外部の要因により大きな外力が発生されたりしたとき、レシーバーセンサー２２１において発生された電圧値が第２の基準値以上の電圧値であれば、端末のモード切換えを行うことなく、スリープモードを維持する。また、端末がウェイクアップモードである状態で、ユーザーが端末を落としたり、何等かの他の外部の要因により大きな外力が発生されたりしたとき、レシーバーセンサー２２１において発生された電圧値が第２の基準値以上の電圧値であれば、端末をセキュリティモードに切り換える。ここで、端末をウェイクアップモードからセキュリティモードへと切り換えることは、ウェイクアップモードである状態でセキュリティメッセージ、警告メッセージ、注意を促すメッセージなどを有するポップアップウィンドウを表示すること、起動有無を問うポップアップウィンドウを表示すること、直ちにディスプレイモジュールをオフ（ＯＦＦ）にしてスリープモードに切り換えることのうちのいずれか１つを行うことにより行われてもよい。これにより、たとえユーザーが端末を落としたとしても、ユーザー以外の他人が当該端末の情報を閲覧できないように保護することができる。
【００８２】
モード切換え制御部２２２ｃは、モード切換え判断部２２２ｂにおいてレシーバーセンサー２２１に加えられた外力がユーザーがモード切換えのために意図的に入力した信号であると判断されると、電圧ピークの発生回数及び電圧ピーク発生の時間間隔を分析して、現在の端末のモードに応じて切り換えられるべきモードの種類を決定し、当該モード切換えのための信号をメイン制御モジュールに引き渡す。
【００８３】
ユーザーがレシーバーセンサー２２１をノックするとき、レシーバーセンサー２２１に加えられる外力の大きさに応じて発生される電圧の大きさが異なる。また、ユーザーがレシーバーセンサー２２１を秒単位で又は単発的（すなわち、瞬間的）にノックするが、このときに発生された電圧値を経時的に示すと、例えば、図４から図６の通りである。すなわち、時間が経過するにつれて電圧値が次第に増加していて、最高の電圧値に達した後、再び減少するパターンを呈してもよい。これは、ユーザーの手によりレシーバーセンサー２２１に加えられる外力の大きさが、前記レシーバーセンサー２２１に外力が加えられ始める時点、次いで、最高の外力が加えられ、再びレシーバーセンサー２２１から外力が分離され始める時点、次いで、前記レシーバーセンサー２２１から外力が完全に分離される時点において異なることに起因する。
【００８４】
電圧値が増加していて、それ以上増加せずに減少し始める電圧値を電圧ピーク（ｐｅａｋ）としたとき、レシーバーセンサー２２１に加えられる外力又はノックが１回であれば、図４に示すように、所定の時間内に電圧ピークが１つであり、ノックが２回であれば、図５に示すように、２つの電圧ピークが現れる。もちろん、２回を超えてノックすると、その回数に見合う分のピークが現れる。
【００８５】
また、本発明のモード切換え制御部２２２ｃにおいては、現在の端末のモード状態で発生される電圧ピークの数に応じて、異なるモード切換えのための信号を発生させる。例えば、モード切換え制御部２２２ｃにおいては、現在の端末がスリープモードである状態で、加えられる外力により１つの電圧ピークが発生されたとき、複数のモード切換えの種類のうち第１のモード切換えに決定し、このための信号（以下、第１のモード切換え信号）をメイン制御モジュール２１０に引き渡す。他の例によれば、２つの電圧ピークが発生されたとき、第１のモード切換えとは異なるモード切換えの種類である第２のモード切換えに決定し、３つの電圧ピークが発生されたとき、第１及び第２のモード切換えとは異なるモード切換えの種類である第３のモード切換えに決定して、このための信号（以下、第２のモード切換え信号及び第３のモード信号）をメイン制御モジュール２１０に引き渡す。
【００８６】
更に、現在端末がウェイクアップモードである状態で、加えられる外力により１つの電圧ピークが発生されたとき、複数のモード切換えの種類のうち第４のモード切換えに決定し、このための信号（以下、第４のモード切換え信号）をメイン制御モジュール２１０に引き渡す。他の例によれば、２つの電圧ピークが発生されたとき、第４のモード切換えとは異なるモード切換えの種類である第５のモード切換えに決定し、このための信号（以下、第５のモード切換え信号）をメイン制御モジュール２１０に引き渡す。
【００８７】
このとき、端末がスリープモードである状態で、第１のモード切換え信号、第２のモード切換え信号、第３のモード切換え信号を区別するためには、所定の時間（以下、基準時間）内に２つ又は３つの電圧ピークが発生されなければならない。すなわち、最初の電圧ピーク（第１のピーク）が発生されてから第１の基準時間以内に２番目の電圧ピーク（第２のピーク）が発生されると、第２のモード切換え信号を発生させ、最初の電圧ピークが発生されてから第２の基準時間以内に２番目、３番目の電圧ピーク（第３のピーク）が発生されると、第３のモード切換え信号を発生させる。逆に、最初の電圧ピーク（第１のピーク）が発生されてから２番目の電圧ピーク（第２のピーク）が発生されるまでの時間が第１の基準時間を超えると、第２のモード切換え信号を発生させることなく、第１のモード切換え信号を発生させる。なお、最初の電圧ピーク（第１のピーク）が発生されてから３番目の電圧ピーク（第３のピーク）が発生されるまでの時間が第２の基準時間を超えると、第３のモード切換え信号を発生させない。
【００８８】
同様に、端末がウェイクアップモードである状態で、第４のモード切換え信号、第５のモード切換え信号を区別するためには、第１の基準時間内に２つのピークが発生されなければならない。すなわち、最初の電圧ピーク第１のピークが発生されてから第１の基準時間内に２番目の電圧ピーク（第２のピーク）が更に発生されると、２つの電圧ピークが連続して発生されたと判断して、第５のモード切換え信号を発生させる。逆に、最初の電圧ピーク（第１のピーク）が発生されてから第１の基準時間を超えて２番目の電圧ピーク（第２のピーク）が更に発生されると、第５のモード切換え信号を発生させることなく、第４のモード切換え信号を発生される。
【００８９】
ここで、第１の基準時間及び第２の基準時間は、同じ時間であってもよく、第１の基準時間に比べて第２の基準時間の方が長くてもよく、第１の基準時間に比べて第２の基準時間の方が短くてもよい。
【００９０】
第１のモード切換え乃至第３のモード切換えは、スリープモードである状態で切り換えられるモード切換えの種類である。
【００９１】
第１のモード切換えは、例えば、スリープモードである端末をウェイクアップモードに切り換えるものであってもよい。すなわち、ディスプレイ部がオフ（ＯＦＦ）になった状態でディスプレイ部をオン（ＯＮ）にして画面を表示するウェイクアップモードへの切換えであってもよい。
【００９２】
第２のモード切換えは、端末がスリープモードである状態を維持しながら、端末の通話、メッセージ又は報知などの着信モードを音響モード、振動モード、ランプモードのうちのいずれか１つに切り換えることである。すなわち、現在端末の着信モードが音響モード、振動モード、ランプモードのうちのいずれか１つである状態で、第２のモード切換え信号が発生されると、音響モード、振動モード、ランプモードのうち現在の状態とは異なる着信モードに切り換えられる。具体的に、現在端末の着信モードが音響モードである状態で、第２のモード切換え信号がメイン制御モジュールに引き渡されると、音響モードから振動モードへと切り換えられ、現在端末の着信モードが振動モードである状態で、第２のモード切換え信号がメイン制御モジュールに引き渡されると、振動モードからランプモードへと切り換えられ、現在端末の着信モードがランプモードである状態で、第２のモード切換え信号がメイン制御モジュールに引き渡されると、ランプモードから再び音響モードへと切り換えられるモード切換え方法である。
【００９３】
第２のモード切換えは、上述した着信モードの切換えに何等限定されるものではなく、端末の他の付加機能を起動させるモードへの切換え、例えば、カメラモードへの切換え、音楽再生モードへの切換えであってもよい。
【００９４】
第３のモード切換えは、緊急通話モードへの切換えであってもよい。すなわち、端末のディスプレイ部をウェイクアップさせて電話番号を入力する画面を表示することなく、端末がスリープモードである状態で、緊急状況で第３のモード切換え信号が入力されると、緊急電話を直ちに起動させるモード切換えであってもよい。
【００９５】
もちろん、スリープモードにおけるモード切換えは、３つのモード切換えに何等限定されるものではなく、それ以上の数のモード切換えが行われてもよい。また、以上においては、１つ乃至３つの電圧ピークに限定したが、４つ、５つなどの電圧ピーク数に応じてモード切換え信号を分類してもよい。なお、以上においては、第１乃至第３のモード切換え信号を電圧ピークの数に応じて分類したが、本発明はこれに何等限定されるものではなく、電圧ピークが発生される時間間隔に応じて分類してもよい。
【００９６】
第１の電圧ピーク及び第２の電圧ピークの発生時間間隔が第１の基準時間以内であるときには第６のモード切換え信号に分類し、第１の電圧ピーク及び第２の電圧ピークの発生時間間隔が第１の基準時間を超えて第２の基準時間以内であるときには第７のモード切換え信号に分類してもよい。また、上述した第６のモード切換え信号及び第７のモード切換え信号のそれぞれにより切り換えられるモードは、端末の他の付加機能を起動させるモードへの切換え、例えば、カメラモードへの切換え、音楽再生モードへの切換えであってもよい。
【００９７】
第４のモード切換え及び第５のモード切換えは、ウェイクアップモードである状態で切り換えられるモード切換えの種類である。
【００９８】
ここで、第４のモード切換えは、端末がウェイクアップモードである状態で、例えば、端末の通話、メッセージ又は報知などの着信モードを音響モード、振動モード、ランプモードに切り換えることである。すなわち、着信モードが音響モード、振動モード、ランプモードのうちのいずれか１つのモードである状態で、第１のモード切換え信号が発生されると、音響モード、振動モード、ランプモードのうち現在の状態とは異なる着信モードに切り換えられる。その具体例として、現在端末の着信モードが音響モードである状態で、第１のモード切換え信号がメイン制御モジュールに引き渡されると、音響モードから振動モードへと切り換えられ、 現在端末の着信モードが振動モードである状態で、第１のモード切換え信号がメイン制御モジュールに引き渡されると、振動モードからランプモードへと切り換えられ、 現在端末の着信モードがランプモードである状態で、第１のモード切換え信号がメイン制御モジュールに引き渡されると、ランプモードから再び音響モードへと切り換えられるモード切換え方法である。
【００９９】
第２のモード切換えは、上述した着信モードの切換えに何等限定されるものではなく、端末の他の付加機能を起動させるモードへの切換え、例えば、カメラモードへの切換え、電話通話モードへの切換えであってもよい。
【０１００】
第５のモード切換えは、端末がウェイクアップモードである状態で、端末の画面を切り換える画面モード切換えであってもよい。すなわち、第５のモード切換えは、端末がウェイクアップモードである状態で、端末の複数のプログラム機能のうちのいずれか１つのプログラムを活性化させて、当該プログラムの起動のための画面、ポップアップウィンドウ又はアイコンがディスプレイモジュールに表示された状態であるとき、他のプログラムの起動のための画面、ポップアップウィンドウ又はアイコンをディスプレイモジュールに表示するように画面を切り換えるモードである。具体的に、現在ディスプレイモジュール１２０に音楽の再生のための画面、ポップアップウィンドウ、アイコンが表示された状態であるとき、端末の他の機能であるカメラの起動のための画面、ポップアップウィンドウ、アイコンに切り換えられる。もちろん、画面切換えモードは、例にとって上述した音楽再生モード及びカメラモード間の切換えに何等限定されるものではなく、端末の各種の機能間の切換えが可能である。
【０１０１】
また、第５のモード切換えである画面モード切換えは、端末の複数の機能のうちのいずれか１つを行っている状態で、端末の主な機能又はユーザーが設定した機能を行うための複数のアイコンを有するポップアップウィンドウに切り換える形態であってもよい。このとき、ポップアップウィンドウに画面が切り換えられると、これらのうち起動させようとするアイコンをタッチすることにより、当該アイコンに対する機能を行ってもよい。
【０１０２】
もちろん、ウェイクアップモードにおけるモード切換えは、２つのモード切換えに何等限定されるものではなく、それ以上の数のモード切換えが行われてもよい。また、上記においては１つ及び２つの電圧ピークに限定したが、３つ、４つなどの電圧ピーク数に応じてモード切換え信号を分類してもよい。更に、上記においては第１及び第２のモード切換え信号を電圧ピークの数に応じて分類したが、本発明はこれに何等限定されるものではなく、電圧ピークが発生される時間間隔に応じて分類してもよい。
【０１０３】
第１の電圧ピーク及び第２の電圧ピークの発生時間間隔が第１の基準時間以内であるときには第８のモード切換え信号に分類し、第１の電圧ピーク及び第２の電圧ピークの発生時間間隔が第１の基準時間を超えて第２の基準時間以内であるときには第９のモード切換え信号に分類してもよい。また、上述した第８のモード切換え信号及び第９のモード切換え信号のそれぞれにより切り換えられるモードは、端末の他の付加機能を起動させるモードへの切換え、例えば、カメラモードへの切換え、音楽再生モードへの切換えであってもよい。
【０１０４】
以下では、図７に基づいて、本発明の実施形態に係るモード制御モジュール２２０を有する制御装置２００を用いて端末のモード切換えを行う過程について説明する。
【０１０５】
レシーバーセンサー２２１に外力が加えられると（Ｓ１００）、レシーバーセンサー２２１においては電圧が発生され、データ収集部２２２ａにおいては、レシーバーセンサー２２１において発生された電圧値をリアルタイムにて収集して格納する（Ｓ２００）。
【０１０６】
次いで、データ収集部２２２ａに格納された電圧値はモード切換え判断部２２２ｂに引き渡され、前記モード切換え判断部２２２ｂにおいては、レシーバーセンサー２２１から発生された電圧値のうち最大の電圧値（以下、センサーの最大の電圧値）が第１の基準値以上、第２の基準値以下の範囲に収まるか否かを比較し且つ判断する（Ｓ３００）。
【０１０７】
例えば、モード切換え判断部２２２ｂにおいて、センサーの最大の電圧値が第１の基準値以上、第２の基準値以下の範囲を満たさないと判断する場合、これは、センサーの最大の電圧値が第１の基準値未満である場合、センサーの最大の電圧値が第２の基準値を超える場合のうちのいずれか一方である。このため、モード切換え判断部２２２ｂにおいて、センサーの最大の電圧値が第１の基準値以上、第２の基準値以下の範囲を満たさないと判断する場合、モード切換え判断部２２２ｂにおいては、再びセンサーの最大の電圧値が第１の基準値以上であるか否かを判断する（Ｓ３１０）。このとき、センサーの最大の電圧値が第１の基準値未満であると判断する場合、モード切換え判断部２２２ｂにおいては、ユーザーが端末のモード切換えのために意図的にレシーバーセンサー２２１に外力を加えたわけではないと判断して、モード切換え信号を発生させない。換言すると、センサーの最大の電圧値が第１の基準値未満であると判断する場合（ＮＯ）、モード切換え判断部においては、ユーザー又は他の物体がレシーバーセンサー２２１に擦れたり、接触（又は、コンタクト）したりするとき、非常に小さな外力がレシーバーセンサーに伝えられるなどユーザーの意図とは無関係な外力の発生であると判断し、モード切換え信号を発生させない。
【０１０８】
逆に、センサーの最大の電圧値が第２の基準値を超えると判断する場合、モード切換え判断部２２２ｂにおいては、ユーザーが端末のモード切換えのために意図的にレシーバーセンサー２２１に外力を加えたわけではないと判断する。このとき、現在端末がウェイクアップモードの状態であるとき、モード切換え制御部２２２ｃは、スリープ切換えモード信号を発生（Ｓ３２０）させてメイン制御モジュールに引き渡す。このとき、現在端末がスリープモードの状態であるとき、メイン制御モジュールはスリープモード状態を維持し（Ｓ３３０）、現在端末がウェイクアップモードの状態であるとき、スリープモードに切り換える（Ｓ３３０）。
【０１０９】
他の例によれば、モード切換え判断部２２２ｂにおいて、センサーの最大の電圧値が第１の基準値以上、第２の基準値以下の範囲を満たすと判断する場合（ＹＥＳ）、現在端末がスリープモードであるか（Ｓ４００）、或いは、ウェイクアップモードであるかを判断する（Ｓ４００）。これは、端末の全般的な制御を行うメイン制御モジュール２１０からのデータにより判断可能である。
【０１１０】
例えば、現在端末がスリープモードであると判断される場合、モード切換え制御部においては、データ収集部２２２ａからの電圧データを分析して、電圧ピークの数を把握する（Ｓ６１１、Ｓ６１２、Ｓ６１３）。例えば、電圧データの分析を行ったところ、最大の電圧値を示す電圧ピークが、図４に示すように、基準時間内に１つ現れる場合、モード切換え制御部は、第１のモード切換え信号を発生させて（Ｓ６１２）、メイン制御モジュール２１０に引き渡す。メイン制御モジュールは、第１のモード切換え信号に対応する第１のモード切換え、すなわち、端末のウェイクアップモードへの切換えを行う（Ｓ６１３）。
【０１１１】
他の例によれば、電圧データの分析を行ったところ、最大の電圧値を示す電圧ピークが、図５に示すように、基準時間内に２つ現れる場合、モード切換え制御部２２２ｃは、第２のモード切換え信号を発生させて（Ｓ６２２）、メイン制御モジュール２１０に引き渡す。メイン制御モジュール２１０は、第２のモード切換え信号に対応する第２のモード切換えを行う（Ｓ６２３）。ここで、第２のモード切換えは、端末の通話、メッセージ又は報知などの着信モードを音響モード、振動モード、ランプモードのうちのいずれか１つに切り換えることである。すなわち、現在端末の着信モードが音響モードであるとき、レシーバーセンサー２２１に第２のモード切換え信号に対応する外力が加えられると、メイン制御モジュールは、第２のモード切換え信号により端末の着信モードを振動モードに切り換える。また、端末の着信モードが振動モードである状態で、レシーバーセンサー２２１に第２のモード切換え信号に対応する外力が加えられたとき、メイン制御モジュールは、第２のモード切換え信号により端末の着信モードをランプモードに切り換える。
【０１１２】
更に他の例によれば、電圧データの分析を行ったところ、最大の電圧値を示す電圧ピークが、図６に示すように、基準時間内に３つ現れる場合、モード切換え制御部２２２ｃは、第３のモード切換え信号を発生させて（Ｓ６３２）、メイン制御モジュール２１０に引き渡す。メイン制御モジュール２１０は、第３のモード切換え信号に対応する第３のモード切換えを行う（Ｓ６３３）。ここで、第３のモード切換えは、第３のモード切換え信号が入力されると、緊急電話を直ちに起動させるモード切換えであってもよい。このような緊急通話モード切換えは、緊急な状況下でディスプレイ部をオン（ＯＮ）にして電話番号を押さなくても、緊急に電話をする上で役立つ。
【０１１３】
一方、現在端末がウェイクアップモードであると判断される場合（Ｓ５００）、モード切換え制御部においては、データ収集部２２２ａからの電圧データを分析して、電圧ピークの数を把握する（Ｓ５１１、Ｓ５１２）。例えば、電圧データの分析を行ったところ、最大の電圧値を示す電圧ピークが、図４に示すように、基準時間内に１つ現れる場合、モード切換え制御部は、第４のモード切換え信号を発生させて（Ｓ５１２）、メイン制御モジュール２１０に引き渡す。メイン制御モジュールは、第４のモード切換え信号に対応する第４のモード切換えを行う（Ｓ５１３）。第４のモード切換えは、例えば、端末の通話、メッセージ又は報知などの着信モードを音響モード、振動モード、ランプモードのうちのいずれか１つに切り換えることである。具体的に、端末の着信モードが音響モードである状態で、レシーバーセンサー２２１に第４のモード切換え信号に対応する外力が加えられると、メイン制御モジュールは、第４のモード切換え信号により端末の着信モードを振動モードに切り換える。また、端末の着信モードが振動モードである状態で、レシーバーセンサー２２１に第１のモード切換え信号に対応する外力が加えられたとき、メイン制御モジュールは、第１のモード切換え信号により端末の着信モードをランプモードに切り換える。
【０１１４】
更に他の例によれば、電圧データの分析を行ったところ、最大の電圧値を示す電圧ピークが、図５に示すように、基準時間内に２つ現れる場合、モード切換え制御部２２２ｃは、第５のモード切換え信号を発生させて（Ｓ５２２）、メイン制御モジュール２１０に引き渡す。メイン制御モジュール２１０は、第５のモード切換え信号に対応する第５のモード切換えを行う（Ｓ５２３）。第５のモード切換えは、例えば、起動中のある１つのプログラムの画面、ポップアップウィンドウ又はアイコンを他のプログラムの画面、ポップアップウィンドウ又はアイコンなどに切り換える画面モード切換えであってもよい。具体的に、現在ディスプレイモジュールに音楽の再生のための画面、ポップアップウィンドウ、アイコンが表示された状態で、レシーバーセンサーに第５のモード切換え信号に対応する外力が加えられると、メイン制御モジュールは、第５のモード切換え信号により端末の他の機能であるカメラの起動のための画面、ポップアップウィンドウ、アイコンに切り換える。
【０１１５】
このように、ユーザーが端末のウィンドウに外力を加える、すなわち、ノックをする簡単な動作で、端末のモード切換えを簡単に行うことができる。また、外力により端末のモード切換えを行うセンサーとして、レシーバーセンサー２２１を用いることにより、従来に比べてより正確に端末のモード切換えを行うことができ、ユーザーの意図とは無関係に外力が加えられたとき、モード切換えが行われたり、ディスプレイモジュールがオン（ＯＮ）状態に維持されたりすることを防ぐことができて、端末の誤作動を低減することができ、しかも、ユーザーの個人情報を保護することができる。
【０１１６】
また、本発明においては、モード切換えのためのセンサーを付設することなく、端末に電話通話のために取り付けられているレシーバーセンサー２２１をそのままモード切換えのための信号発生手段として用いている。したがって、モード切換えのためのセンサーを付設する必要がない。
【産業上の利用可能性】
【０１１７】
本発明に係る端末の制御装置及びこれを用いた端末の制御方法によれば、ユーザーが端末のウィンドウに外力を加える、すなわち、ノックをするなどの簡単な動作で、端末のモード切換えを簡単に行うことができる。また、外力により端末のモード切換えを行うセンサーとして、レシーバーセンサーを用いることにより、従来に比べてより正確に端末のモード切換えを行うことができ、ユーザーの意図とは無関係に外力が加えられたときにモード切換えが行われたり、ディスプレイモジュールがオン（ＯＮ）状態に維持されたりすることを防ぐことができて、端末の誤作動を低減することができ、しかも、ユーザーの個人情報を保護することができる。
【図１】
2018502486.tif 000003
【図２】
2018502486.tif 000004
【図３】
2018502486.tif 000005
【図４】
2018502486.tif 000006
【図５】
2018502486.tif 000007
【図６】
2018502486.tif 000008
【図７】
2018502486.tif 000009
【図８】
2018502486.tif 000010
【図９】
2018502486.tif 000011
【国際調査報告】
2018502486.tif 000012
2018502486.tif 000013
2018502486.tif 000014
2018502486.tif 000015